(57)【特許請求の範囲】
【請求項１】
全体が輪状で径方向断面形状がＬ型をなす本体(11)と、前記本体(11)の内周縁(11a)に突出して形成された複数の突起部(12)と、前記本体(11)に形成され前記各突起部(12)の外側に位置すると共に弧状に形成された弧状スリット(13)とよりなり、前記各突起部(12)は前記本体(11)に貫通して設けられたレゾルバのロータ軸(1)の周面に形成された凹部(15)に係合するように構成され、前記各突起部(12)が径方向に作動できるように構成されると共に前記本体(11)の内側には前記ロータ軸(1)の外周に設けられたロータ巻線(3)が位置し、前記ロータ巻線(3)が前記ロータカバー(10)で覆われていることを特徴とするレゾルバ用ロータカバー。
【請求項２】
レゾルバのロータ軸(1)の外周に設けられたロータ鉄芯(2)と、前記ロータ鉄芯(2)に設けられたロータ巻線(3)とからなるレゾルバ用ロータ構造において、前記ロータ巻線(3)の外面側に設けられ全体が輪状で径方向断面形状がＬ型をなすと共に前記ロータ軸(1)が貫通するロータカバー(10)と、前記ロータカバー(10)の内周縁(11a)に突出して形成された複数の突起部(12)と、前記ロータ軸(1)の周面に形成された複数の凹部(15)と、前記各突起部(12)の外側位置に弧状に形成された弧状スリット(13)とを備え、前記各突起部(12)は前記凹部(15)に係合していると共に、前記ロータカバー(10)の軸方向と直交する輪状端面(16)は前記ロータ鉄芯(2)の軸方向と直交する端面(2a)に当接する構成よりなることを特徴とするレゾルバ用ロータ構造。
【発明の詳細な説明】
【０００１】
【発明の属する技術分野】
本発明は、レゾルバ用ロータカバー及びロータ構造に関し、特に、断面Ｌ型で輪状をなす本体の内周縁に形成された各突起部をロータ軸に係合させることにより、レゾルバのロータ巻線を保護するようにするための新規な改良に関する。
【０００２】
【従来の技術】
従来、用いられていたこの種のロータ構造としては、図４に示される構成が採用されていた。すなわち、図４で示されるように、符号１で示されるものは全体が筒状をなしロータ巻線が接する部分に絶縁処理が施された金属材料からなるロータ軸であり、このロータ軸１の周面には、輪状のロータ鉄芯２が設けられ、このロータ鉄芯２にはロータ巻線３が設けられている。
前記ロータ鉄芯２から離れたロータ軸１の外周位置には、検出巻線及び励磁巻線からなる巻線４を有する輪状ボビン５が設けられている。
【０００３】
【発明が解決しようとする課題】
従来のロータ構造は、以上のように構成されていたため、次のような課題が存在していた。
すなわち、ロータ軸に設けられたロータ巻線は、ロータ鉄芯に巻回されたままであるため、ロータ巻線は直接外部に露出した状態であり、組立作業の際にロータ巻線に誤って外力を加える等の事故が発生することがあった。
【０００４】
本発明は、以上のような課題を解決するためになされたもので、特に、断面Ｌ型で輪状をなす本体の内周縁に形成された各突起部をロータ軸に係合させることにより、レゾルバのロータ巻線を保護するようにしたレゾルバ用ロータカバー及びレゾルバ用ロータ構造を提供することを目的とする。
【０００５】
【課題を解決するための手段】
本発明によるレゾルバ用ロータカバーは、全体が輪状で径方向断面形状がＬ型をなす本体と、前記本体の内周縁に突出して形成された複数の突起部と、前記本体に形成され前記各突起部の外側に位置すると共に弧状に形成された弧状スリットとよりなり、前記各突起部は前記本体に貫通して設けられたレゾルバのロータ軸の周面に形成された凹部に係合するように構成され、前記各突起部が径方向に作動できるように構成されると共に前記本体の内側には前記ロータ軸の外周に設けられたロータ巻線が位置し、前記ロータ巻線が前記ロータカバーで覆われている構成であり、また、本発明によるレゾルバ用ロータ構造は、レゾルバのロータ軸の外周に設けられたロータ鉄芯と、前記ロータ鉄芯に設けられたロータ巻線とからなるレゾルバ用ロータ構造において、前記ロータ巻線の外面側に設けられ全体が輪状で径方向断面形状がＬ型をなすと共に前記ロータ軸が貫通するロータカバーと、前記ロータカバーの内周縁に突出して形成された複数の突起部と、前記ロータ軸の周面に形成された複数の凹部と、前記各突起部の外側位置に弧状に形成された弧状スリットとを備え、前記各突起部は前記各凹部に係合している構成であると共に、前記ロータカバーの軸方向と直交する輪状端面は前記ロータ鉄芯の軸方向と直交する端面に当接する構成である。
【０００６】
【発明の実施の形態】
以下、図面と共に本発明によるレゾルバ用ロータカバー及びレゾルバ用ロータ構造の好適な実施の形態について説明する。なお、従来例と同一又は同等部分については同一符号を用いて説明する。
図２において符号１で示されるものは全体が筒状をなしロータ巻線が接する部分に絶縁処理が施された金属材料からなるレゾルバのロータ軸であり、このロータ軸１の周面には、輪状のロータ鉄芯２が設けられ、このロータ鉄芯２にはロータ巻線３が設けられている。従って、このロータ巻線３はロータ軸１の外周に設けられている。
【０００７】
前記ロータ鉄芯２から離れたロータ軸１の外周位置には、検出巻線及び励磁巻線からなる巻線４を有する輪状ボビン５が設けられている。
前記ロータ巻線３の外面側には、図１で示されるような輪状のロータカバー１０が設けられており、このロータカバー１０は図３で示されるように、その本体１１の径方向断面形状がＬ型をなすと共に、この本体１１の内周縁１１ａには、その径方向でかつ内側へ向けて突出する複数の突起部１２が形成されている。
【０００８】
前記本体１１の前記各突起部１２の径方向の外側位置には、弧状に形成された弧状スリット１３が設けられており、この弧状スリット１３により前記突起部１２は径方向に若干作動できるように構成されている。
【０００９】
前記各突起部１２は、図２で示されるようにロータ軸１が本体１１の案内孔１４を貫通しているため、前記ロータ軸１の周面に形成された複数の凹部１５に係合していることにより、本体１１はロータ軸１に強固に固定されている。また、前記本体１１の輪状端面１６は前記ロータ鉄芯２の軸方向と直交する端面２ａに当接し、ロータ巻線３の外面が本体１１すなわちロータカバー１０によって完全に覆われている。
【００１０】
なお、前述のロータカバー１０は、図２に示されるレゾルバ又はシンクロ用に用いられるロータに適用した場合について述べたが、レゾルバ又はシンクロ以外のモータ等のロータにも適用できることは述べるまでもないことである。
【００１１】
【発明の効果】
本発明によるレゾルバ用ロータカバー及びレゾルバ用ロータ構造は、以上のように構成されているため、次のような効果を得ることができる。
すなわち、ロータ軸に設けられたロータ鉄芯のロータ巻線が断面Ｌ型をなす輪状のロータカバーで覆われているため、外部からロータ巻線に触れることはなく、組立時等の作業においても、ロータ巻線に対する外力の付加による品質の低下等を防止することができる。
【図面の簡単な説明】
【図１】  本発明によるレゾルバ用ロータカバーを示す平面図である。
【図２】  図１のレゾルバ用ロータカバーをロータに取付けた状態を示す半断面図である。
【図３】  図２の要部の拡大断面図である。
【図４】  従来の構成を示す半断面図である。
【符号の説明】
１    ロータ軸
２    ロータ鉄芯
２ａ 端面
３    ロータ巻線
４    巻線
５    輪状ボビン
１０    ロータカバー
１１    本体
１１ａ    内周縁
１２    突起部
１３    弧状スリット
１５    凹部
１６    輪状端面
【図１】
0004257812.tif 000002
【図２】
0004257812.tif 000003
【図３】
0004257812.tif 000004
【図４】
0004257812.tif 000005